(57)【要約】      （修正有）【課題】収納棚の開口部を開けたときでも画像表示装置を見易くできる収納ユニットを提供する。【解決手段】収納ユニット１は、前方に開口する開口部１１を有する収納棚１０と、開口部１１を開閉可能に収納棚１０の前方に配置されて画像表示装置が前面に取り付けられる蓋板２０と、収納棚１０に対して蓋板２０を少なくとも前後移動可能に支持し、蓋板２０の前後移動によって開口部１１を蓋板２０により開閉する支持アーム３０と、を備える。これにより、収納棚１０の開口部１１を開けたときでも画像表示装置を見易くできる。【選択図】図２
0003220007.tif 000002
【実用新案登録請求の範囲】
【請求項１】
前方に開口する開口部を有する収納棚と、
前記開口部を開閉可能に前記収納棚の前方に配置されて画像表示装置が前面に取り付けられる蓋板と、
前記収納棚に対して前記蓋板を少なくとも前後移動可能に支持し、前記蓋板の前後移動によって前記開口部を前記蓋板により開閉する支持アームと、を備えることを特徴とする収納ユニット。
【請求項２】
前記収納棚は、前記収納棚の左右端面を構成すると共に前記開口部の左右の縁を構成する一対の側板を備え、
前記蓋板は、前記開口部を閉じた状態で、一対の前記側板から左右に張り出すことを特徴とする請求項１記載の収納ユニット。
【請求項３】
前記収納棚は、壁面に固定され、
一対の前記側板の上端に架け渡される天板と、
一対の前記側板の下端に架け渡される底板と、を備え、
前記開口部は、一対の前記側板、前記天板および前記底板に囲まれて形成され、
前記蓋板は、前記開口部を閉じた状態で、前記収納棚から上下左右に張り出すことを特徴とする請求項２記載の収納ユニット。
【請求項４】
前記蓋板の下縁と前記蓋板の側縁とがつくる角部が前後方向から見て湾曲していることを特徴とする請求項３記載の収納ユニット。
【請求項５】
前記蓋板により前記開口部を閉じた状態でロックするロック機構を備え、
前記ロック機構は、前記側板の左右外側であって前記蓋板の背面側に配置される解除部の手動操作によりロックが解除されることを特徴とする請求項２から４のいずれかに記載の収納ユニット。
【請求項６】
前記蓋板の側縁は、前後方向から見て左右内側へ向かって凹状に湾曲していることを特徴とする請求項５記載の収納ユニット。
【請求項７】
前記蓋板により前記開口部を閉じた状態でロックするロック機構を備え、
前記ロック機構は、前記蓋板の上下方向中央よりも上方に配置されることを特徴とする請求項１から６のいずれかに記載の収納ユニット。
【請求項８】
前記蓋板には、板厚方向に貫通して第１貫通孔が設けられ、
前記第１貫通孔は、前記蓋板により前記開口部を閉じた状態で前記開口部の内側に連通することを特徴とする請求項１から７のいずれかに記載の収納ユニット。
【請求項９】
前記収納棚は、前記開口部の背面側を塞ぐ背板を備え、
前記背板には、板厚方向に貫通する第２貫通孔が設けられていることを特徴とする請求項８記載の収納ユニット。
【請求項１０】
前記収納棚には、前記開口部の周縁を形成する板材の前記開口部から離れた位置を板厚方向に貫通する第３貫通孔が設けられていることを特徴とする請求項８又は９に記載の収納ユニット。
【考案の詳細な説明】
【技術分野】
【０００１】
本考案は、画像表示装置が取り付けられる収納ユニットに関するものである。
【背景技術】
【０００２】
テレビやモニター等の画像表示装置の背面側に収納棚を設置して、画像表示装置の背面側のスペースを有効活用する収納ユニットが知られている。このような収納ユニットとしては、例えば、収納棚の開口部の縁を軸に回転して開口部を開閉する扉の前面に画像表示装置を取り付けたものがある（特許文献１）。
【先行技術文献】
【特許文献】
【０００３】
【特許文献１】特開２０１２−８５２１０号公報
【考案の概要】
【考案が解決しようとする課題】
【０００４】
しかしながら、上記従来の技術では、収納棚の開口部を開けるために扉を開くと、画像表示装置が必ず見難くなるという問題点がある。
【０００５】
本考案は上述した問題点を解決するためになされたものであり、収納棚の開口部を開けたときでも画像表示装置を見易くできる収納ユニットを提供することを目的とする。
【課題を解決するための手段】
【０００６】
この目的を達成するために本考案の収納ユニットは、前方に開口する開口部を有する収納棚と、前記開口部を開閉可能に前記収納棚の前方に配置されて画像表示装置が前面に取り付けられる蓋板と、前記収納棚に対して前記蓋板を少なくとも前後移動可能に支持し、前記蓋板の前後移動によって前記開口部を前記蓋板により開閉する支持アームと、を備える。
【考案の効果】
【０００７】
請求項１記載の収納ユニットによれば、画像表示装置が前面に取り付けられる蓋板を支持アームにより収納棚に対して前後移動させることによって、開口部を蓋板により開閉する。これにより、収納棚の開口部を開けたときでも画像表示装置を見易くできる。
【０００８】
請求項２記載の収納ユニットによれば、収納棚の左右端面を構成する一対の側板が開口部の左右の縁を構成する。開口部を閉じた状態の蓋板は、一対の側板から左右に張り出す。これにより、画像表示装置を直接つかむことなく、側板から左右に張り出した部分の蓋板をつかんで蓋板および画像表示装置を前後移動することができる。その結果、蓋板および画像表示装置の前後移動時に、画像表示装置に手脂が付着したり、画像表示装置の一部に応力が掛かったりすることを防止できるので、請求項１の効果に加え、蓋板および画像表示装置を前後移動し易くできる。
【０００９】
請求項３記載の収納ユニットによれば、壁面に固定される収納棚は、一対の側板の上端に架け渡される天板と、一対の側板の下端に架け渡される底板と、を備える。一対の側板、天板および底板に囲まれて開口部が形成される。開口部を閉じた状態の蓋板は、収納棚の上下左右に張り出す。これにより、画像表示装置を見ている人からは、蓋板の背面側に位置する収納棚を視認し難くできる。その結果、請求項２の効果に加え、壁面に固定された画像表示装置としての見栄えを良くできる。
【００１０】
請求項４記載の収納ユニットによれば、蓋板の下縁と蓋板の側縁とがつくる角部が前後方向から見て湾曲している。これにより、請求項３の効果に加え、壁面に固定された収納棚から張り出した蓋板の角部に頭などをぶつけたときの衝撃を和らげることができる。
【００１１】
請求項５記載の収納ユニットによれば、ロック機構は、蓋板により開口部を閉じた状態でロックする。このロック機構によるロックは、側板の左右外側であって蓋板の背面側に配置される解除部の手動操作により解除される。これにより、前方から解除部を見難くできると共に、解除部の手動操作後すぐに、側板から左右に張り出した部分の蓋板をつかんで蓋板および画像表示装置を前後移動させることができる。よって、請求項２から４のいずれかの効果に加え、解除部によって画像表示装置の周囲の見栄えが悪くなることを防止できると共に、ロック機構があっても蓋板および画像表示装置の前後移動操作を容易にできる。
【００１２】
請求項６記載の収納ユニットによれば、蓋板の側縁は、前後方向から見て左右内側へ向かって凹状に湾曲している。これにより、請求項５の効果に加え、画像表示装置の前に立った人が蓋板の側縁から手を回り込ませて、側板の左右外側であって蓋板の背面側に配置される解除部を操作し易くできる。
【００１３】
請求項７記載の収納ユニットによれば、ロック機構は、蓋板により開口部を閉じた状態でロックする。蓋板や画像表示装置に上下方向や前後方向の振動が加わる場合、画像表示装置が前面に取り付けられた蓋板は前側が重くなっているため、ロック機構によりロックされた状態では、ロック機構を中心として前傾するように蓋板や画像表示装置が振動しようとする。ロック機構が蓋板の上下方向中央よりも上方に配置されるので、振動時のロック機構を中心とした前傾方向の力のモーメントを小さくできる。その結果、請求項１から６のいずれかの効果に加え、蓋板や画像表示装置を振動し難くできる。
【００１４】
請求項８記載の収納ユニットによれば、蓋板を板厚方向に貫通して設けられる第１貫通孔は、蓋板により開口部を閉じた状態で開口部の内側に連通する。これにより、画像表示装置からの配線を第１貫通孔を通して収納棚の開口部内に導くことができる。その結果、請求項１から７のいずれかの効果に加え、画像表示装置からの配線による見栄えの悪化を抑制できる。
【００１５】
請求項９記載の収納ユニットによれば、開口部の背面側を塞ぐ背板には、板厚方向に貫通する第２貫通孔が設けられている。これにより、第１貫通孔を通った画像表示装置からの配線を第２貫通孔を通して収納棚の背面側に出したり、背板を壁面に固定して第２貫通孔内の壁面に設けたコンセントに画像表示装置からの配線を接続したりできる。よって、請求項８の効果に加え、画像表示装置からの配線による見栄えの悪化をより抑制できる。
【００１６】
請求項１０記載の収納ユニットによれば、収納棚には、開口部の周縁を形成する板材を板厚方向に貫通する第３貫通孔が設けられている。これにより、第１貫通孔を通った画像表示装置からの配線を第３貫通孔を通して収納棚の外部に導くことができる。さらに、第３貫通孔が開口部から離れた位置にあるので、蓋板を収納棚から離しても、第３貫通孔から配線が脱落することを防止できる。よって、請求項８又は９の効果に加え、第３貫通孔から配線が脱落することによって見栄えが悪化したり、脱落した配線が蓋板と収納棚との間に挟まって蓋板により開口部を閉じ難くなったりすることを防止できる。
【図面の簡単な説明】
【００１７】
【図１】一実施形態における収納ユニットの正面図である。
【図２】（ａ）は図１のＩＩ−ＩＩ線における収納ユニットの断面図であり、（ｂ）は収納棚の開口部を開いた状態を示す収納ユニットの断面図である。
【図３】収納棚の正面図である。
【図４】図３のＩＶ−ＩＶ線における収納棚の断面図である。
【考案を実施するための形態】
【００１８】
以下、本考案の好ましい実施形態について、添付図面を参照して説明する。まず、図１、図２（ａ）及び図２（ｂ）を参照して、一実施形態における収納ユニット１について説明する。図１は、蓋板２０により収納棚１０の開口部１１を閉じた状態を示す収納ユニット１の正面図である。図２（ａ）は図１のＩＩ−ＩＩ線における収納ユニット１の断面図である。図２（ｂ）は収納棚１０の開口部１１を開いた状態を示す収納ユニット１の断面図である。なお、各図面における矢印Ｕ−Ｄ，Ｌ−Ｒ，Ｆ−Ｂは、収納ユニット１の上下方向、左右方向、前後方向をそれぞれ示している。また、図１には、蓋板２０の背面側（後側）に位置する収納棚１０及びロック機構４０の外形線が模式的に図示され、画像表示装置２が二点鎖線で図示されている。
【００１９】
図１及び図２（ａ）に示すように、収納ユニット１は、前方に開口する開口部１１を有する収納棚１０と、その収納棚１０の前方に配置されて開口部１１を開閉する蓋板２０と、収納棚１０に対して蓋板２０を前後移動可能に支持する支持アーム３０と、蓋板２０により開口部１１を閉じた状態でロックするロック機構４０と、を備える。蓋板２０の前面には、テレビやモニター等の画像表示装置２が取り付けられる。
【００２０】
蓋板２０は、開口部１１を開閉する部材であって、木材や合成樹脂、金属などの平板から構成される。蓋板２０は、開口部１１を閉じた状態で、収納棚１０の上下左右に張り出す。蓋板２０の左右の側縁２１は、前後方向から見て左右内側へ向かって凹状に湾曲している。
【００２１】
蓋板２０の上縁２２及び下縁２３は、前後方向から見て上下外側へ向かって凸状に湾曲している。側縁２１と上縁２２とがつくる第１角部２４は、前後方向から見て湾曲している。側縁２１と下縁２３とがつくる第２角部２５は、前後方向から見て湾曲している。第１角部２４及び第２角部２５の曲率は、収納棚１０の角や画像表示装置２の角に設けたＲ面取の曲率よりも十分に大きく設定されている。
【００２２】
側縁２１は前後方向に丸みを帯びている、即ち、側縁２１の断面形状が略半円状に形成されている。図示しないが同様に、上縁２２、下縁２３、第１角部２４及び第２角部２５は、前後方向に丸みを帯びて、その断面形状が略半円状に形成されている。
【００２３】
蓋板２０には、小さな複数の小孔２７と、小孔２７に比べて大きな２つの第１貫通孔２８とが板厚方向に貫通形成されている。蓋板２０には、複数の小孔２７及び２つの第１貫通孔２８が隠れるようなサイズの画像表示装置２を取り付けることが好ましい。
【００２４】
小孔２７は、画像表示装置２の背面側に設けられたねじ穴に螺合するねじが挿入される部位である。なお、画像表示装置２の背面側には、ＶＥＳＡ規格に基づいて複数のねじ穴が設けられている。例えば、３１〜９０インチの画像表示装置２では、呼び径６ｍｍ又は８ｍｍのねじが締結される複数のねじ穴が左右方向および上下方向にそれぞれ２００ｍｍずつ離れている。
【００２５】
そのため、複数の小孔２７の大きさや配置は、蓋板２０への取り付けが想定される画像表示装置２のサイズに応じたＶＥＳＡ規格に基づいて設定される。本実施形態では、複数のねじ穴が左右方向および上下方向にそれぞれ２００ｍｍずつ離れた画像表示装置２が取り付けられる蓋板２０に、上下方向および左右方向に主に５０ｍｍずつ離して複数の小孔２７が設けられている。これにより、複数の小孔２７の一部に挿入したねじによって、ＶＥＳＡ規格に基づいた画像表示装置２を蓋板２０に取り付けることができると共に、蓋板２０に対する画像表示装置２の上下位置や左右位置を調整し易くできる。さらに、画像表示装置２を取り付けるためのねじが挿入されていない複数の小孔２７が残るので、画像表示装置２の背面と蓋板２０との間に熱をこもり難くできる。
【００２６】
第１貫通孔２８には、画像表示装置２の背面から出る配線（電源ケーブルやアンテナケーブル、レコーダー等との接続ケーブル等）が通される。第１貫通孔２８は、複数の小孔２７の左右外側であって蓋板２０の上下方向の略中央にそれぞれ設けられている。より詳しくは、第１貫通孔２８は、蓋板２０により開口部１１を閉じた状態で開口部１１の内側に連通する位置に設けられている。これにより、画像表示装置２からの配線が収納棚１０の開口部１１内に導かれる。
【００２７】
図２（ａ）に示すように、支持アーム３０は、収納棚１０に対して蓋板２０を支持する部材である。一般的に画像表示装置２を前後移動可能に壁面４に支持するための壁掛け金具が、支持アーム３０として用いられている。なお、支持アーム３０は、左右の角度や上下の角度の調整機能を有していても良い。
【００２８】
支持アーム３０は、収納棚１０の背板１５に固定される第１固定部３１と、蓋板２０の背面側に固定される第２固定部３２と、第１固定部３１と第２固定部３２とを連結する一対の伸縮アーム３３，３４と、を備える。第１固定部３１には、第１固定部３１を背板１５に取り付けるためのねじが挿入される複数の貫通孔（図示せず）が形成されている。
【００２９】
第２固定部３２には、第２固定部３２を蓋板２０に取り付けるためのねじが挿入される複数の貫通孔（図示せず）が形成されている。支持アーム３０がＶＥＳＡ規格に基づいて製造された壁掛け金具であれば、その第２固定部３２には、ＶＥＳＡ規格に基づいて画像表示装置２に設けられた複数のねじ穴に対応する位置に、複数の貫通孔が形成されている。そのため、蓋板２０を第２固定部３２に固定し易くできる。
【００３０】
なお、蓋板２０の小孔２７に挿入されて画像表示装置２のねじ穴に螺合されるねじとは別に、ボルト及びナット（図示せず）を用いて蓋板２０に第２固定部３２を固定することが好ましい。これにより、画像表示装置２を蓋板２０から外すときに、第２固定部３２から蓋板２０が外れることを防止できる。
【００３１】
また、蓋板２０の前面側からボルトを挿入して、蓋板２０の背面側にナットを配置することが好ましい。これにより、第２固定部３２に蓋板２０を固定するためのボルト及びナットが蓋板２０の前面から突出する量を小さくできるので、そのボルト及びナットを画像表示装置２に干渉させ難くできる。
【００３２】
さらに、小孔２７とは別に第２固定部３２の貫通孔に挿入したボルトが螺合されるねじ穴を、インサートナット等を用いて蓋板２０に設けても良い。これにより、蓋板２０の前面側にボルト等を突出させ難くできるので、そのボルト等を画像表示装置２に干渉させ難くできる。
【００３３】
一対の伸縮アーム３３，３４は、一端が第１固定部３１に上下軸を介して支持される第１部３５と、一端が第２固定部３２に上下軸を介して支持される第２部３６とを備えている。そして、第１部３５の他端と第２部３６の他端とが上下軸を介して連結されている。
【００３４】
この第１部３５と第２部３６とを折りたたむように伸縮アーム３３，３４が縮むことで、蓋板２０が収納棚１０に接触して開口部１１が閉じる。一方、図２（ｂ）に示すように、上下方向から見た第１部３５と第２部３６との角度を広げるように伸縮アーム３３，３４を伸ばすことで、蓋板２０が前方に移動して開口部１１が開かれる。伸縮アーム３３の伸縮量と伸縮アーム３４の伸縮量とを異ならせることで、画像表示装置２及び蓋板２０の左右角度が調整される。
【００３５】
図２（ａ）及び図２（ｂ）に示すように、ロック機構４０は、収納棚１０の側板１２の左右外側であって蓋板２０の背面側にそれぞれ配置される。また、ロック機構４０は、蓋板２０の上下方向中央よりも上方に配置される（図１参照）。ロック機構４０は、側板１２の左右外側に固定される固定具４１と、蓋板２０の背面に固定される軸部４２と、左右方向に回転可能に軸部４２に支持される引掛部４３とを備えている。固定具４１は、側板１２から左右外側へ突出する部材である。
【００３６】
引掛部４３は、左右内側へ突出する爪部４４と、左右外側へ向かって突出する取っ手としての解除部４６とを備える。爪部４４は、蓋板２０により開口部１１を閉じた状態において、固定具４１の後面に接触する。これにより、蓋板２０の前方への移動が規制される。軸部４２と引掛部４３との間には、固定具４１に爪部４４が接触した状態を維持するための弾性力を引掛部４３に与えるばね（図示せず）が設けられている。このようにして、ロック機構４０は、蓋板２０により開口部１１を閉じた状態でロックする。
【００３７】
爪部４４は、後方側に傾斜面４５を備える。傾斜面４５は、爪部４４の左右内側の先端へ向かって前方側へ傾斜する。これにより、ロック機構４０によるロックが外れた状態から、蓋板２０を後方へ移動させて、固定具４１に傾斜面４５を滑らせることで、軸部４２まわりに引掛部４３を矢印Ａ方向に開かせることができる。そして、蓋板２０が開口部１１を閉じると、ばねの弾性力によって爪部４４が固定具４１に接触して、ロック機構４０がロック状態となる。
【００３８】
一方、ロック機構４０のロック状態から、解除部４６を前方に引く手動操作によって軸部４２まわりに引掛部４３を矢印Ａ方向に開くことで、爪部４４が固定具４１から外れる。これにより、ロック機構４０によるロックが解除され、画像表示装置２及び蓋板２０が前後方向に移動可能となる。
【００３９】
次に図２（ａ）及び図２（ｂ）に加えて図３及び図４を参照し、収納棚１０について説明する。図３は収納棚１０の正面図である。図４は図３のＩＶ−ＩＶ線における収納棚１０の断面図である。図２（ａ）及び図４に示すように、収納棚１０は、床面から離れて壁面４に固定されている。
【００４０】
図３に示すように、収納棚１０は、木材や合成樹脂、金属などの平板を組み合わせて構成され、壁面４に固定されている。収納棚１０は、収納棚１０の左右端面を構成する一対の側板１２と、一対の側板１２の上端に架け渡される天板１３と、一対の側板１２の下端に架け渡される底板１４と、側板１２、天板１３及び底板１４の背面側に固定される背板１５と、を主に備える。収納棚１０の上下端面が天板１３及び底板１４により構成され、収納棚１０の背面が背板１５により構成されている。
【００４１】
開口部１１は、一対の側板１２、天板１３及び底板１４に囲まれて形成されている。即ち、開口部１１の周縁のうち左右の側縁を側板１２が構成し、開口部１１の上縁を天板１３が構成し、開口部１１の下縁を底板１４が形成している。また、一対の側板１２、天板１３及び底板１４に囲まれた空間であって開口部１１の背面側が背板１５によって塞がれている。
【００４２】
収納棚１０には、一対の側板１２、天板１３及び底板１４に囲まれた空間を、上下に仕切る複数の棚板１６と、左右に仕切る複数の間仕切板１７とが設けられている。複数の棚板１６や間仕切板１７により仕切られた複数の空間には、画像表示装置２に接続されるレコーダーやＤＶＤ、説明書、小物などが収納される。これらの物品が落ちないように開口部１１側には落下防止用の柵１８が設けられている。
【００４３】
図４に示すように、間仕切板１７には、複数の空間同士を連通するように、板厚方向に貫通する連通孔１７ａが設けられている。この連通孔１７ａに配線などを通すことで、収納棚１０との蓋板２０と間に配線などが挟まれることを抑制できる。
【００４４】
図２（ａ）、図２（ｂ）及び図３に示すように、棚板１６や間仕切板１７により仕切られた収納棚１０の複数の空間のうち中央の支持部屋１０ａには、支持アーム３０が配置される。支持部屋１０ａの背板１５には、支持アーム３０の第１固定部３１を固定するためのねじが螺合する複数のねじ穴１０ｂが形成されている。このねじ穴１０ｂは、インサートナットが埋め込まれて形成されている。これにより、第１固定部３１を固定するためのねじが背板１５の背面側の壁面４に干渉しないようにできる。
【００４５】
図３及び図４に示すように、壁面４に密着する背板１５には、板厚方向に貫通する第２貫通孔１５ａが設けられている。第２貫通孔１５ａは、支持部屋１０ａの背面側を構成する背板１５の左右中央であって下端側に設けられている。第２貫通孔１５ａを通して露出した壁面４には、コンセント６が設けられている。
【００４６】
これにより、第１貫通孔２８（図１参照）を通って収納棚１０の開口部１１内に導かれた画像表示装置２（図１参照）の配線を、第２貫通孔１５ａを通してコンセント６に接続できる。また、間仕切板１７の連通孔１７ａを通って支持部屋１０ａに導かれた配線をコンセント６に接続できる。その結果、画像表示装置２の配線などを収納棚１０の外部に露出しないようにできるので、その配線による見栄えの悪化を抑制できる。
【００４７】
図４に示すように、底板１４には、開口部１１から離れた位置を板厚方向に貫通する第３貫通孔１４ａが設けられている。これにより、第１貫通孔２８（図１参照）や連通孔１７ａを通って支持部屋１０ａに導かれた画像表示装置２（図１参照）等の配線を、第３貫通孔１４ａを通して収納棚１０の外部に導くことができる。第２貫通孔１５ａを通して露出した壁面４にコンセント６がない場合など、画像表示装置２等からの配線を収納棚１０の外部のコンセントに接続できる。また、収納棚１０の外部からの配線を収納棚１０の内部に導くことができる。
【００４８】
第３貫通孔１４ａが開口部１１から離れた位置にあるので、蓋板２０（図１参照）を収納棚１０から離しても、第３貫通孔１４ａから配線が脱落することを防止できる。これにより、第３貫通孔１４ａから配線が脱落することによって見栄えが悪化したり、脱落した配線が蓋板２０と収納棚１０との間に挟まって蓋板２０により開口部１１を閉じ難くなったりすることを防止できる。
【００４９】
以上のような収納ユニット１によれば、画像表示装置２が前面に取り付けられる蓋板２０を支持アーム３０により収納棚１０に対して前後移動させることによって、開口部１１が蓋板２０により開閉される。これにより、収納棚１０の開口部１１を開けたときでも画像表示装置２を見易くできる。
【００５０】
また、画像表示装置２が蓋板２０に取り付けられているので、蓋板２０により開口部１１を閉じた状態では画像表示装置２の裏側に収納棚１０があることを分かり難くできる。さらに、画像表示装置２が蓋板２０に取り付けられているので、画像表示装置２が有機ＥＬテレビ等、薄くて低剛性のものでも、支持アーム３０によって支持された画像表示装置２を動かし易くできる。
【００５１】
蓋板２０は、開口部１１を閉じた状態で、収納棚１０の側板１２から左右に張り出している。そのため、画像表示装置２を直接つかむことなく、側板１２から左右に張り出した部分の蓋板２０をつかんで、蓋板２０及び画像表示装置２を前後移動や角度調整することができる。その結果、蓋板２０及び画像表示装置２の前後移動時などに、画像表示装置２への手脂の付着や、画像表示装置２の操作子を押すこと、画像表示装置２の一部に応力が掛かったりすること等を防止できる。よって、蓋板２０及び画像表示装置２を前後移動や角度調整し易くできる。
【００５２】
さらに、蓋板２０に取り付けられた画像表示装置２に対して、蓋板２０が左右外側に張り出していることが好ましい。これにより、蓋板２０及び画像表示装置２を前後移動や角度調整するときに、画像表示装置２に対して蓋板２０が左右に張り出した部分をつかんで、画像表示装置２に手をより触れ難くできる。その結果、蓋板２０及び画像表示装置２を前後移動や角度調整し易くできる。
【００５３】
蓋板２０に取り付けられた画像表示装置２に対して、蓋板２０が下方に張り出していることが好ましい。万が一、大きな地震などによって蓋板２０が落下した場合、画像表示装置２が直接床面などに衝突することを抑制できるので、画像表示装置２の損傷などを抑制できる。
【００５４】
蓋板２０は、開口部１１を閉じた状態で、収納棚１０の側板１２から左右に張り出すだけでなく、天板１３や底板１４から上下に張り出している。即ち、開口部１１を閉じた状態の蓋板２０が収納棚１０の上下左右に張り出しているので、画像表示装置２を見ている人からは蓋板２０の背面側に位置する収納棚１０を視認し難くできる。その結果、壁面４に固定された画像表示装置２としての見栄えを良くできる。
【００５５】
蓋板２０の側縁２１と下縁２３とがつくる第２角部２５が前後方向から見て湾曲している。これにより、壁面４に固定された収納棚１０の上下左右に張り出した蓋板２０の第２角部２５に、子供などが頭などをぶつけたときの衝撃を和らげることができる。
【００５６】
特に、収納棚１０の角や画像表示装置２の角に設けたＲ面取の曲率よりも、第２角部２５の曲率が十分に大きく設定され、収納棚１０の角や画像表示装置２の角に対して外側へ第２角部２５が張り出している。これにより、収納棚１０の角や画像表示装置２の角に頭などをぶつけないようにできると共に、収納棚１０の角や画像表示装置２の角に頭などをぶつけたときの衝撃よりも、第２角部２５に頭などをぶつけたときの衝撃を小さくできる。また、側縁２１や下縁２３、第２角部２５が前後方向に丸みを帯びて、その断面形状が略半円状に形成されているので、側縁２１や下縁２３、第２角部２５に頭などをぶつけたときの衝撃を和らげることができる。
【００５７】
ロック機構４０によるロックは、側板１２の左右外側であって蓋板２０の背面側に配置される解除部４６の手動操作により解除される。これにより、前方から解除部４６を見難くできると共に、解除部４６の手動操作後すぐに、側板１２から左右に張り出した部分の蓋板２０をつかんで蓋板２０及び画像表示装置２を前後移動させて開口部１１を開くことができる。よって、解除部４６によって画像表示装置２の周囲の見栄えが悪くなることを防止できると共に、ロック機構４０があっても蓋板２０及び画像表示装置２の前後移動操作を容易にできる。
【００５８】
特に、左右外側へ張り出した解除部４６を前方に引く手動操作によってロック機構４０によるロックを解除できるので、側板１２から左右に張り出した部分の蓋板２０をつかみながら指で解除部４６を操作できる。そのため、蓋板２０及び画像表示装置２の前後移動操作をより容易にできる。
【００５９】
蓋板２０の側縁２１は、前後方向から見て左右内側へ向かって凹状に湾曲している。これにより、画像表示装置２の前に立った人が蓋板２０の側縁２１から手を回り込ませて、側板１２の左右外側であって蓋板２０の背面側に配置される解除部４６を操作し易くできる。よって、蓋板２０及び画像表示装置２の前後移動操作をより容易にできる。
【００６０】
画像表示装置２が前面に取り付けられて蓋板２０は前側が重くなっている。そのため、ロック機構４０によりロックされた状態で、蓋板２０や画像表示装置２に上下方向や前後方向の振動が加わる場合、ロック機構４０を中心として前傾するように蓋板２０や画像表示装置２が振動しようとする。ロック機構４０が蓋板２０の上下方向中央よりも上方に配置されるので、振動時のロック機構４０を中心とした前傾方向の力のモーメントを小さくできる。その結果、蓋板２０や画像表示装置２を振動し難くできる。
【００６１】
以上、上記実施形態に基づき本考案を説明したが、本考案は上記形態に何ら限定されるものではなく、本考案の趣旨を逸脱しない範囲内で種々の変形改良が可能であることは容易に推察できるものである。例えば、蓋板２０や収納棚１０の外形形状を適宜変更しても良い。また、棚板１６や間仕切板１７、小孔２７や第１貫通孔２８、第２貫通孔１５ａ、第３貫通孔１４ａ、連通孔１７ａ等の数や位置などを適宜変更しても良い。また、ロック機構４０を省略しても良い。
【００６２】
上記形態では、開口部１１を閉じた状態の蓋板２０が、収納棚１０の上下左右に張り出す場合について説明したが、必ずしもこれに限られるものではなく、収納棚１０の上下左右寸法と、蓋板２０の上下左右寸法とを同じにしても良い。また、蓋板２０により開閉される開口部１１が、一対の側板１２、天板１３及び底板１４に囲まれて形成される場合に限らない。一対の側板１２、天板１３及び底板１４に囲まれて棚板１６や間仕切板１７で仕切られた複数の空間の一部の開口部を、蓋板２０によって開閉するように構成しても良い。
【００６３】
この場合には、収納棚１０を壁面４から離して、収納棚１０を床面に置いても良い。収納棚１０が壁面４から離れているので、画像表示装置２等からの配線を背板１５の第２貫通孔１５ａを通して収納棚１０の背面側に出すことができる。これにより、画像表示装置２等からの配線による見栄えの悪化を抑制できる。
【００６４】
上記形態では、第３貫通孔１４ａが底板１４に設けられる場合について説明したが、必ずしもこれに限られるものではない。底板１４以外の、開口部１１を形成する周縁の板材である側板１２や天板１３に第３貫通孔１４ａを設けても良い。また、開口部の周縁を棚板１６や間仕切板１７が構成する場合には、その棚板１６や間仕切板１７に第３貫通孔１４ａを設けても良い。
【００６５】
上記形態では、収納棚１０が背板１５を有する場合について説明したが、必ずしもこれに限られるものではない。背板１５を省略して、支持アーム３０の第１固定部３１を壁面４に直接固定しても良い。この場合には、壁面４に収納棚１０を固定するためのねじ穴と、壁面４に第１固定部３１を固定するためのねじ穴とをそれぞれ設ける必要がある。一方、背板１５に第１固定部３１を固定する場合には、壁面４に第１固定部３１を固定するためのねじ穴を設けなくても良いので、壁面４への穴あけを少なくできる。
【００６６】
上記形態では、支持アーム３０の第２固定部３２を蓋板２０に固定して、その蓋板２０に画像表示装置２を固定する場合について説明したが、必ずしもこれに限られるものではない。支持アーム３０の第２固定部３２が通る貫通孔を蓋板２０に設けて、第２固定部３２を画像表示装置２に直接固定しても良い。この場合、蓋板２０を画像表示装置２の背面に固定しても良く、蓋板２０を第２固定部３２に固定して蓋板２０に第２固定部３２を介して画像表示装置２を取り付けても良い。
【００６７】
上記形態では、側板１２の左右外側に固定される固定具４１と、蓋板２０側に固定される軸部４２に回転可能に支持される引掛部４３とを備えるロック機構４０について説明したが、必ずしもこれに限られるものではない。固定具４１を蓋板２０に取り付けて、軸部４２及び引掛部４３を側板１２に取り付けても良い。また、蓋板２０により開口部１１を閉じた状態でロックすることができれば、ロック機構の詳細構成は適宜変更しても良い。例えば、解除部の操作による信号などに基づいてロックを解除する電動のロック機構を用いても良い。また、ロック機構の配置を変更したり、ロック機構から離れた位置に解除部を配置しても良い。
【００６８】
上記形態では、蓋板２０をつかんで蓋板２０を手動で前後移動させる場合について説明したが、必ずしもこれに限られるものではない。操作子からの信号などに基づいて、蓋板２０を自動で前後移動させるように支持アーム３０を構成しても良い。この場合、操作子を操作していないときに支持アーム３０が動かないように構成されていれば、支持アーム３０がロック機構を有しているといえる。また、この支持アーム３０を動かすための操作子が、ロック機構によるロックを解除する解除部であるといえる。
【００６９】
上記形態では、画像表示装置２を前後移動可能に壁面４に支持するための壁掛け金具が支持アーム３０である場合について説明したが、必ずしもこれに限られるものではない。収納棚１０に対して蓋板２０を少なくとも前後移動可能に支持できれば、壁掛け金具以外から支持アーム３０を構成しても良い。この場合、支持アーム３０の第１固定部３１を側板１２や天板１３、底板１４、棚板１６、間仕切板１７に固定しても良い。
【符号の説明】
【００７０】
１  収納ユニット
２  画像表示装置
４  壁面
１０  収納棚
１１  開口部
１２  側板
１３  天板
１４  底板
１４ａ  第３貫通孔
１５  背板
１５ａ  第２貫通孔
２０  蓋板
２１  側縁
２３  下縁
２５  第２角部（角部）
２８  第１貫通孔
３０  支持アーム
４０  ロック機構
４６  解除部
【図１】
0003220007.tif 000003
【図２】
0003220007.tif 000004
【図３】
0003220007.tif 000005
【図４】
0003220007.tif 000006